(57)【要約】【課題】  一元管理されるデータ数にかかわらずユーザの使い勝手を向上し得るインストールシステム、インストール装置及びプリインストール方法を実現する。【解決手段】  複数の再生装置においてそれぞれ再生された再生対象の再生履歴に基づいて、所定の記憶手段に記憶された複数の再生対象データのなかから、再生回数の多い再生対象に対応する所定数の再生対象データを、再生対象を再生する再生手段が搭載された装置に対して順次インストールするようにした。【選択図】        図１
2006338547.tif 000002
【特許請求の範囲】
【請求項１】
複数の再生装置と、再生対象データをインストール装置とがネットワークを介して接続されるインストールシステムであって、
各上記再生装置は、
再生対象を再生する再生手段と、
上記再生手段により再生された再生対象を表す識別子を生成する生成手段と、
上記生成手段により生成された上記識別子を上記ネットワークを介して上記インストール装置に送信する送信手段と
をそれぞれ具え、
上記インストール装置は、
上記生成手段により生成された上記識別子を上記ネットワークを介して上記識別子を取得する取得手段と、
上記取得手段により取得された上記識別子に基づいて、上記再生対象の再生回数をカウントするカウント手段と、
所定の記憶手段に記憶された複数の再生対象データのなかから、上記カウント手段のカウント結果に応じて上記再生回数の多い再生対象に対応する所定数の上記再生対象データを順次選択する選択手段と、
上記選択手段により選択された各再生対象データを、上記再生手段が搭載された装置にインストールするインストール手段と
を具えることを特徴とするインストールシステム。
【請求項２】
上記再生装置は、ユーザ固有の生体識別子を取得する第１の生体識別子取得手段を具え、上記インストール装置は、第２の生体識別子取得手段を具え、
上記インストール装置では、
上記取得手段は、
各上記再生装置の上記生成手段により生成された上記識別子と、上記第１の生体識別子取得手段により取得された上記生体識別子を上記ネットワークを介して取得し、
上記カウント手段は、
上記識別子及び生体識別子に基づいて、上記再生対象の再生回数を生体識別子単位でカウントし、
上記選択手段は、
所定の記憶手段に記憶された複数の再生対象データのなかから、上記第２の生体識別子取得手段により取得された上記生体識別子に対応する上記カウント手段のカウント結果に応じて、所定数の上記再生対象データを順次選択する
ことを特徴とする請求項１に記載のインストールシステム。
【請求項３】
上記インストール装置は所定の場所に２以上設置され、
上記ネットワーク上における上記インストール装置のアドレスを管理する管理装置
を具え、
各上記再生装置は、
所定のタイミングで上記アドレスを上記ネットワークを介して取得し、当該アドレスに対応する各上記インストール装置に上記識別子を上記ネットワークを介して送信する
ことを特徴とする請求項１に記載のインストールシステム。
【請求項４】
複数の再生装置においてそれぞれ再生された再生対象の識別子を、ネットワークを介して取得する取得手段と、
上記取得手段により取得された各上記識別子に基づいて、上記再生対象の再生回数をカウントするカウント手段と、
所定の記憶手段に記憶された複数の再生対象データのなかから、上記カウント手段のカウント結果に応じて上記再生回数の多い再生対象に対応する所定数の上記再生対象データを順次選択する選択手段と、
上記選択手段により選択された各再生対象データを、上記再生対象を再生する再生手段が搭載された装置にインストールするインストール手段と
を具えることを特徴とするインストール装置。
【請求項５】
上記再生手段が搭載された装置における再生条件を検出する検出手段
を具え、
上記選択手段は、
所定の記憶手段に記憶された複数の再生対象データのなかから、上記再生回数の多い再生対象に対応する所定数の上記再生対象データを、上記再生条件を充足するように順次選択する
ことを特徴とする請求項３に記載のインストール装置。
【請求項６】
上記インストール手段は、
上記再生対象を再生する再生手段が搭載された購入対象の装置にインストールする
ことを特徴とする請求項３に記載のインストール装置。
【請求項７】
複数の再生装置においてそれぞれ再生された再生対象の識別子を、上記ネットワークを介して取得する第１のステップと、
取得した各上記識別子に基づいて、上記再生対象の再生回数をカウントする第２のステップと、
所定の記憶手段に記憶された複数の再生対象データのなかから、上記再生回数の多い再生対象に対応する所定数の上記再生対象データを順次選択する第３のステップと、
選択した各再生対象データを、上記再生手段が搭載された装置にインストールする第４のステップと
を具えることを特徴とするインストール方法。
【発明の詳細な説明】
【技術分野】
【０００１】
本発明は、インストールシステム、インストール装置及びインストール方法に関し、例えば楽曲や動画等をコンテンツとするコンテンツデータをプリインストールする場合に適用して好適なものである。
【背景技術】
【０００２】
近年、コンピュータを購入してすぐ利用できるように、当該コンピュータに内蔵されたハードディスクに予めソフトウェアをインストールしておくといったいわゆるプリインストールといった形態がある。
【０００３】
この形態は、例えば、音声再生装置に内蔵されたハードディスクに予め所定の楽曲データをインストールしておく場合にも適用することができる。
【０００４】
しかしながら、相当数のデータのなかからプリインストール対象のデータを選択する場合、いずれを選択するかが問題となる。
【０００５】
ところで、情報配信装置において一元管理されたコンテンツのうち、端末装置においてユーザに選択された複数のコンテンツを、当該情報配信装置から端末装置にダウンロードするようになされたシステムが提案されている（例えば特許文献１参照）。
【０００６】
このシステムを適用し、情報配信装置において一元管理されたコンテンツのうち、購入対象の装置を購入したユーザ自ら所望のコンテンツを端末装置を介して選択させるようにすれば、当該ユーザ所望のデータをすぐに利用できるものと思われる。
【特許文献１】特開２００３−３２３１８１公報
【発明の開示】
【発明が解決しようとする課題】
【０００７】
しかしながらかかるシステムでは、一元管理されるコンテンツが多いほどユーザにとっては選択対象を特定することが困難となり、却ってユーザの使い勝手が悪いといった結果を招くといった問題がある。
【０００８】
本発明は以上の点を考慮してなされたもので、一元管理されるデータ数にかかわらずユーザの使い勝手を向上し得るインストールシステム、インストール装置及びインストール方法を提案しようとするものである。
【課題を解決するための手段】
【０００９】
かかる課題を解決するため本発明は、複数の再生装置と、インストール装置とがネットワークを介して接続されるインストールシステムであって、各再生装置には、再生対象を再生する再生手段と、再生手段により再生された再生対象を表す識別子を生成する生成手段と、生成手段により生成された識別子をネットワークを介してインストール装置に送信する送信手段とをそれぞれ設け、インストール装置には、ネットワークを介して各再生装置から供給される識別子を取得する取得手段と、取得手段により取得された識別子に基づいて、再生対象の再生回数をカウントするカウント手段と、所定の記憶手段に記憶された複数の再生対象データのなかから、再生回数の多い再生対象に対応する所定数の再生対象データを順次選択する選択手段と、選択手段により選択された各再生対象データを、再生手段が搭載された装置にインストールするインストール手段とを設けるようにした。
【００１０】
従って、このインストールシステムでは、再生手段が搭載された装置に対して、インストール時に人気度の高い再生対象データから順次インストールすることができるため、例えば当該装置を購入したユーザは、購入時に着目されている再生対象データを即座に再生することができる。
【００１１】
また本発明は、インストール装置であって、複数の再生装置においてそれぞれ再生された再生対象の識別子をネットワークを介して取得する取得手段と、取得手段により取得された各識別子に基づいて、再生対象の再生回数をカウントするカウント手段と、所定の記憶手段に記憶された複数の再生対象データのなかから、再生回数の多い再生対象に対応する所定数の再生対象データを順次選択する選択手段と、選択手段により選択された各再生対象データを、再生対象を再生する再生手段が搭載された装置にインストールするインストール手段とを設けるようにした。
【００１２】
従って、このインストール装置では、再生手段が搭載された装置に対して、インストール時に人気度の高い再生対象データから順次インストールすることができるため、例えば当該装置を購入したユーザは、購入時に着目されている再生対象データを即座に再生することができる。
【００１３】
さらに本発明は、インストール方法であって、複数の再生装置においてそれぞれ再生された再生対象の識別子をネットワークを介して取得する第１のステップと、取得した各識別子に基づいて、再生対象の再生回数をカウントする第２のステップと、所定の記憶手段に記憶された複数の再生対象データのなかから、再生回数の多い再生対象に対応する所定数の再生対象データを順次選択する第３のステップと、選択した各再生対象データを、再生手段が搭載された装置にインストールする第４のステップとを設けるようにした。
【００１４】
従って、このインストール方法では、再生手段が搭載された装置に対して、インストール時に人気度の高い再生対象データから順次インストールすることができるため、例えば当該装置を購入したユーザは、購入時に着目されている再生対象データを即座に再生することができる。
【発明の効果】
【００１５】
上述のように本発明によれば、複数の再生装置においてそれぞれ再生された再生対象の識別子に基づいて、所定の記憶手段に記憶された複数の再生対象データのなかから、再生回数の多い再生対象に対応する所定数の再生対象データを、再生対象を再生する再生手段が搭載された装置に対して順次インストールするようにしたことにより、当該装置に対して、インストール時に人気度の高い再生対象データから順次インストールすることができるため、例えば当該装置を購入したユーザは、購入時に着目されている再生対象データを即座に再生することができ、かくして一元管理されるデータ数にかかわらずユーザの使い勝手を向上し得るインストールシステム、インストール装置及びプリインストール方法を実現することができる。
【発明を実施するための最良の形態】
【００１６】
以下図面について、本発明を適用した実施の形態を詳述する。
【００１７】
（１）インストールシステムの全体構成
図１において、１は全体として本実施の形態によるインストールシステムを示し、楽曲データを再生する複数の楽曲再生装置２ｉ（ｉ＝１、２、３……）と、当該楽曲データをインストールするインストール装置３ｊ（ｊ＝１、２、３……）と、複数の楽曲データを楽曲データベースとして管理すると共にインターネット等のネットワーク上でのインストール装置３ｊのアドレス（以下、これをネットワークアドレスと呼ぶ）を管理する管理サーバ４とがネットワーク５を介して接続されることにより構成される。
【００１８】
この楽曲再生装置２ｉは、例えば一又は二以上の台数を単位として家屋又は会社等の各種施設に設けられており、ＣＤ(compact disk)やＭＤ(Mini Disk)等の光ディスクに記憶された楽曲データを再生する。そして楽曲再生装置２ｉは、再生した楽曲データを外部の記憶媒体や再生装置に転送し又は再生した楽曲データに基づく楽曲を出力するようになされている。
【００１９】
また楽曲再生装置２ｉは、楽曲データを再生するごとに、当該再生された楽曲データを表す識別子を再生履歴ログファイルＬｇＦとして生成し、これを保持する。
【００２０】
そして楽曲再生装置２ｉは、所定のタイミング時にネットワーク５に接続し、管理サーバ４からインストール装置３ｊのネットワークアドレスを取得すると共に、当該取得したネットワークアドレスに対応する各インストール装置３ｊそれぞれに再生履歴ログファイルＬｇＦを送信するようになされている。
【００２１】
インストール装置３ｊは、例えば一又は二以上の台数を単位として各種電化製品を販売する販売店や所定の場所に設けられており、各楽曲再生装置２ｉから供給される再生履歴ログファイルＬｇＦを受けるごとに、当該再生履歴ログファイルＬｇＦの識別子に基づいて、楽曲の再生回数をカウントする。
【００２２】
またインストール装置３ｊは、音声を再生する音声再生機能を有する各種電化製品（以下、これを音声再生製品と呼ぶ）ＭＸを購入する場合、その購入の際にネットワーク５を介して管理サーバ４に接続する。
【００２３】
そしてインストール装置３ｊは、管理サーバ４の楽曲データベースで管理される複数の楽曲データのなかから、そのときカウントされた再生回数の多い楽曲に対応する所定数の楽曲データを順次選択し、当該選択した各楽曲データを音声再生製品ＭＸにプリインストールする。
【００２４】
このようにしてこのインストールシステム１は、複数の楽曲再生装置２ｉで再生された再生回数の多い楽曲に対応する楽曲データを音声再生製品ＭＸに順次プリインストールすることができるようになされている。
【００２５】
（２）楽曲再生装置の構成
次に、楽曲再生装置２ｉの構成を図２に示す。
【００２６】
この図２において、楽曲再生装置２ｉは、この楽曲再生装置２ｉ全体の制御を司るコントローラ１０を有し、このコントローラ１０に対して、操作部１１、再生部１２、信号処理部１３、記憶部１４及びインターフェース部１５がバスＢＵＳを介して接続されることにより構成される。
【００２７】
このコントローラ１０は、ＣＰＵ(Central Processing Unit)と、各種プログラムが格納されるＲＯＭ(Read Only Memory)と、当該ＣＰＵのワークメモリとしてのＲＡＭ(Random Access Memory)とを含むコンピュータ構成でなり、当該コントローラ１０には、操作部１１におけるユーザ操作に対応する操作命令が与えられる。
【００２８】
またコントローラ１０は、例えば操作部１１から再生命令を受けた場合、当該再生命令と、ＲＯＭに格納された対応するプログラムとに基づいて、再生部１２、信号処理部１３、記憶部１４、ネットワークインターフェース１５及び外部機器インターフェース１６を適宜制御して所定の再生処理を実行するようになされている。
【００２９】
再生部１２は、楽曲再生装置２ｉにおける所定の装填箇所に装填された光ディスクをスピンドルモータを介して所定状態に回転駆動と共に、光ピックアップから光ディスクに向けて光ビームを照射する。そして再生部１２は、光ディスクから反射される光ビームを受光素子で受光し、当該受光素子から出力される受光信号に基づいてフォーカス制御及びトラッキング制御を行うと共に、当該受光信号からＲＦ信号を抽出して信号処理部１３に送出するようになされている。
【００３０】
信号処理部１３は、ＲＦ信号に対して、光ディスクに対応する復調処理や誤り訂正処理等の各種信号処理を施すようになされており、当該処理結果として生成されるＴＯＣ(Table Of Contents)と呼ばれる目次データＤＴＣをコントローラ１０に送出する一方、当該処理結果として生成される楽曲データを音声出力部（図示せず）又はインターフェース部１５に送出するようになされている。
【００３１】
記憶部１４は、例えばＥＥＰＲＯＭ(Electrically Erasable Programmable Read-Only Memory)等の記録媒体を装脱着するためのコネクタを有しており、当該コネクタに装着された記録媒体にデータを書き込み又は記録媒体に書き込まれたデータを読み出す。
【００３２】
なお、記憶部１４は、記録媒体がコネクタに装着されたことを検出したとき、必要に応じて記憶媒体の記憶領域を、コントローラ１０の制御のもとに、各インストール装置３ｊそれぞれのネットワークアドレスを記憶するためのネットワークアドレス記録領域ＡＲ１と、再生履歴ログファイルＬｇＦを記憶するための再生履歴ログファイル記録領域ＡＲ２とに割り当てるようになされている。
【００３３】
インターフェース部１５は、例えばＵＳＢ(Universal Serial Bus) インターフェース及び又はＬＡＮ(Local Area Network) インターフェース等でなり、ネットワーク５を介してインストール装置３ｊとの間、又はパーソナルコンピュータなどの外部機器との間で各種データを送受信するようになされている。
【００３４】
ここで、この楽曲再生装置２ｉにおける再生処理手順を図３に示す。すなわちコントローラ１０は、所定の装填箇所に光ディスクが装填されたことを検出すると、この再生処理手順ＲＴ１のステップＳＰ０からステップＳＰ１に進んで、再生部１２及び信号処理部１３を制御して光ディスクから目次データＤＴＣを取得し、当該目次データＤＴＣに基づいて、例えば光ディスクに記憶された楽曲データの楽曲数や、当該楽曲データの演奏時間、楽曲タイトル名及びアルバム名等、当該光ディスクの記憶内容を認識する。
【００３５】
また楽曲再生装置２ｉは、続くステップＳＰ２において、操作部１１から供給される再生命令を待ち受け、当該再生命令を受けた場合には、ステップＳＰ３に進んで、このとき受けた再生命令と、ステップＳＰ１で認識した光ディスクの記憶内容とに基づいて再生部１２及び信号処理部１３を制御する。具体的には、楽曲再生装置２ｉは、再生命令により指定された再生位置（再生時間）から対応する楽曲データを再生し、当該再生した楽曲データに基づく楽曲を音声出力部から出力し又はインターフェース部１５を介して外部機器に転送するようになされている。
【００３６】
そして楽曲再生装置２ｉは、続くステップＳＰ４において、再生停止命令、次の楽曲データにスキップさせるスキップ再生命令又は前の楽曲データにスキップさせる逆スキップ再生命令等、現在の再生対象の楽曲データの再生を中止する命令を操作部１１から受けたか否かを判定し、続くステップＳＰ５において、ステップＳＰ３で再生している楽曲データが、当該楽曲データを再生回数として加算するための期間として予め設定された再生回数加算期間を経過したか否かを判定する。
【００３７】
ここで、現在の再生対象の楽曲データの再生を中止する命令を受けることなく、再生回数加算期間を経過した場合、このことは、再生目的が例えば楽曲の内容を確認するため等ではなく、鑑賞のためであることを意味する。従ってこの場合には、楽曲再生装置２ｉは、ステップＳＰ３で再生した楽曲データの楽曲タイトル名を表す文字（以下、これを楽曲タイトル文字と呼ぶ）を再生履歴ログファイルＬｇＦとして生成し、これを記憶部１４の記憶領域ＡＲ２に記憶する。
【００３８】
一方、楽曲再生装置２ｉは、再生回数加算期間を経過前に現在の再生対象の楽曲データの再生を中止する命令を受けた場合、又はステップＳＰ６で再生履歴ログファイルＬｇＦを記憶領域ＡＲ２に記憶した場合には、ステップＳＰ７に進んで、新たな楽曲データを再生するか否かを判定する。
【００３９】
具体的には、楽曲再生装置２ｉは、ステップＳＰ４において現在の再生対象の楽曲データの再生を中止されることなくその楽曲データの再生を終了した場合には、当該終了時にステップＳＰ３に戻って上述の処理を繰り返す。一方、楽曲再生装置２ｉは、ステップＳＰ４において次の楽曲データにスキップさせるスキップ再生命令又は前の楽曲データにスキップさせる逆スキップ再生命令を受けた場合には、当該受けたときにステップＳＰ３に戻って上述の処理を繰り返す。
【００４０】
他方、楽曲再生装置２ｉは、ステップＳＰ４において再生停止命令を受けた場合には、続くステップＳＰ８において光ディスクが取り出されたことを検出するまで操作部１１から供給される再生命令を待ち受け、当該再生命令を受けた場合にはそのときにステップＳＰ３に戻って上述の処理を繰り返す。
【００４１】
これに対して楽曲再生装置２ｉは、光ディスクが取り出されたことを検出した場合には、続くステップＳＰ９において、インターフェース部１５からネットワーク５を介して管理サーバ４と相互認証し、当該管理サーバ４から現在販売店に設けられている各インストール装置３ｊのネットワークアドレスを取得する。
【００４２】
そして楽曲再生装置２ｉは、続くステップＳＰ１０において、インストール装置３ｊのネットワークアドレスに基づいて、対応するインストール装置３ｊそれぞれと相互認証し、当該相互認証した各インストール装置３ｊに対して、記憶領域ＡＲ２に記憶した１又は２以上の再生履歴ログファイルＬｇＦをそれぞれ送信する。
【００４３】
最後に楽曲再生装置２ｉは、ステップＳＰ１１において、送信済みの再生履歴ログファイルＬｇＦを記憶領域ＡＲ２から消去した後、ステップＳＰ１２に進んでこの再生処理手順を終了する。
【００４４】
このようにしてこの楽曲再生装置２ｉは、楽曲データを再生するごとに、当該再生された楽曲データを特定するための再生履歴ログファイルＬｇＦを生成し、これを各インストール装置３ｊにそれぞれ送信することができるようになされている。
【００４５】
（３）インストール装置の構成
次に、インストール装置３ｊの構成を図４に示す。
【００４６】
この図４において、インストール装置３ｊは、このインストール装置３ｊ全体の制御を司るコントローラ２０を有し、このコントローラ２０に対して、記憶部２１、インターフェース部２２及び購入対象製品接続部２３がバスｂｕｓを介して接続されることにより構成される。
【００４７】
このコントローラ２０は、ＣＰＵと、各種プログラムが格納されるＲＯＭと、当該ＣＰＵのワークメモリとしてのＲＡＭとを含むコンピュータ構成でなり、相互認証相手の楽曲再生装置２ｉから供給される再生履歴ログファイルＬｇＦを受けると、この再生履歴ログファイルＬｇＦと、対応するプログラムに基づいて、記憶部２１及びインターフェース部２２を制御してリストファイル更新処理を実行する。
【００４８】
またコントローラ２０は、購入対象製品接続部２３に音声再生製品ＭＸ（図１）が接続されたことを検出すると、対応するプログラムに基づいて、記憶部２１、インターフェース部２２及び購入対象製品接続部２３を制御してプリインストール処理を実行するようになされている。
【００４９】
記憶部２１は、例えばＥＥＰＲＯＭ(Electrically Erasable Programmable Read-Only Memory)等の記録媒体であり、リストファイルＬｓｔ（図１）を書き込み又は書き込まれたリストファイルＬｓｔを読み出し得るようになされている。
【００５０】
インターフェース部２２は、例えばＵＳＢインターフェース及び又はＬＡＮインターフェース等でなり、ネットワーク５を介して楽曲再生装置２ｉとの間で各種データを送受信するようになされている。
【００５１】
購入対象製品接続部２３は、各種音声再生製品ＭＸ（図１）を電気的に接続し、当該接続された音声再生製品ＭＸとの間で各種データを送受信するようになされている。
【００５２】
ここで、このインストール装置３ｊにおけるリストファイル更新処理手順を図５に示す。すなわちコントローラ２０は、相互認証相手の楽曲再生装置２ｉから供給される再生履歴ログファイルＬｇＦを受けると、このリストファイル更新処理手順ＲＴ２のステップＳＰ１０からステップＳＰ１１に進んで、当該再生履歴ログファイルＬｇＦを最初に受けたものか否かを判定する。
【００５３】
そしてコントローラ２０は、最初に受けた再生履歴ログファイルＬｇＦであると判定した場合には、続くステップＳＰ１２において、楽曲タイトル名と再生回数との対応付けを一覧として表すリストファイルＬｓｔを生成し、続くステップＳＰ１３において、当該リストファイルＬｓｔを更新する。具体的には、コントローラ２０は、再生履歴ログファイルＬｇＦに示される楽曲タイトル文字をリストファイルＬｓｔの楽曲タイトル名の欄に書き込むと共に、対応する再生回数の欄に「１」を書き込むようにして再生回数をカウントするようになされている。
【００５４】
その後、コントローラ２０は、ステップＳＰ１４において、リストファイルＬｓｔを記憶部２１に記憶した後、ステップＳＰ１５に進んでこのリストファイル更新処理手順ＲＴ２を終了する。
【００５５】
一方、コントローラ２０は、ステップＳＰ１１で最初に受けた再生履歴ログファイルＬｇＦでないと判定した場合には、続くステップＳＰ１６において、記憶部２１からリストファイルＬｓｔを読み出し、ステップＳＰ１３に進んで、リストファイルＬｓｔを更新する。
【００５６】
具体的には、コントローラ２０は、再生履歴ログファイルＬｇＦに示される楽曲タイトル文字と同一の文字を検索し、当該同一文字の楽曲タイトル文字があった場合には、対応する再生回数の欄をインクリメントする。これに対してコントローラ２０は、同一文字の楽曲タイトル文字がなかった場合には、再生履歴ログファイルＬｇＦに示される楽曲タイトル文字をリストファイルＬｓｔの楽曲タイトル名の欄に書き込むと共に、対応する再生回数の欄に「１」を書き込む。
【００５７】
その後、コントローラ２０は、上述の場合と同様に、リストファイルＬｓｔを記憶部２１に記憶してこのリストファイル更新処理手順ＲＴ２を終了する。
【００５８】
このようにしてコントローラ２０は、各楽曲再生装置２ｉから供給される再生履歴ログファイルＬｇＦを受けるごとにリストファイルＬｓｔを順次更新することができるようになされている。
【００５９】
次に、このインストール装置３ｊにおけるプリインストール処理手順を図６に示す。すなわちコントローラ２０は、購入対象製品接続部２３に音声再生製品ＭＸ（図１）が接続されたことを検出すると、このプリインストール処理手順ＲＴ３のステップＳＰ２０からステップＳＰ２１に進んで、当該音声再生製品ＭＸにおいて記憶可能な楽曲データの記憶容量や楽曲データの圧縮形式等、音声再生製品ＭＸにおける所定の再生条件を検出し、続くステップＳＰ２２において、記憶部２１に記憶されたリストファイルＬｓｔを読み出す。
【００６０】
そしてコントローラ２０は、続くステップＳＰ２３において、インターフェース部２２を介して管理サーバ４と相互認証し、当該相互認証した管理サーバ４で管理される複数の楽曲データのうち、ステップＳＰ２１で検出した再生条件を満たすことを前提として、ステップＳＰ２２で検出したリストファイルＬｓｔに書き込まれた楽曲タイトル文字に対応する楽曲データを再生回数が多い順に選択する。
【００６１】
具体的には、コントローラ２０は、複数の楽曲データのうち、例えばリストファイルＬｓｔに書き込まれた楽曲タイトル文字に対応し、かつ音声再生製品ＭＸにおける圧縮形式と同一の圧縮形式の楽曲データを、当該音声再生製品ＭＸにおける記憶容量を充足するまで順次選択する。
【００６２】
次いでコントローラ２０は、ステップＳＰ２４に進んで、ステップＳＰ２３で選択した１又は２以上の楽曲データをダウンロードし、これを購入対象製品接続部２３を介して音声再生製品ＭＸ（図１）にインストールした後、ステップＳＰ２５に進んでこのプリインストール処理手順ＲＴ３を終了する。
【００６３】
このようにしてこのインストール装置３ｊは、再生回数が多い楽曲データをプリインストールすることができるようになされている。
【００６４】
（４）動作及び効果
以上の構成において、このインストールシステム１は、楽曲再生装置２ｉで再生される楽曲データを表す識別子を所定のタイミング時にネットワーク５を介して各インストール装置３ｊそれぞれに送信する。
【００６５】
そしてこのインストールシステム１は、各各楽曲再生装置２ｉから供給される識別子に基づいて、管理サーバ４の楽曲データベースで管理される複数の楽曲データのなかから再生回数が多い楽曲データを順次選択し、当該選択した複数の楽曲データを音声再生製品ＭＸにプリインストールする。
【００６６】
従ってこのインストールシステム１では、プリインストール時に人気度の高い楽曲データから順次音声再生製品ＭＸにプリインストールすることができるため、当該音声再生製品ＭＸを購入したユーザは、購入時に着目されている楽曲を即座に聴くことができる。
【００６７】
またこのインストールシステム１は、楽曲データを選択する場合、各各楽曲再生装置２ｉから供給される識別子に、音声再生製品ＭＸにおける記憶容量や楽曲データの圧縮形式等の再生条件も加味して、複数の楽曲データのなかから再生回数が多い楽曲データを順次選択する。
【００６８】
従ってこのインストールシステム１では、プリインストール時に人気度の高い楽曲データであり、かつそのとき購入した音声再生製品ＭＸにおいて確実に再生し得る楽曲データを自動的に取捨選択してプリインストールすることができる。
【００６９】
以上の構成によれば、楽曲再生装置２ｉで再生される楽曲データの識別子に基づいて、管理サーバ４の楽曲データベースで管理される複数の楽曲データのなかから再生回数が多い楽曲データを順次音声再生製品ＭＸにプリインストールするようにしたことにより、プリインストール時に人気度の高い楽曲データから順次音声再生製品ＭＸにプリインストールすることができるため、当該音声再生製品ＭＸを購入したユーザは、購入時に着目されている楽曲を即座に聴くことができ、かくして購入される音声再生装置の使い勝手を向上することができる。
【００７０】
（５）他の実施の形態
なお上述の実施の形態においては、販売店及び所定の場所において購入の際にその販売店及び所定の場所に設けられた各インストール装置３ｊを介して管理サーバ４の楽曲データをプリインストールするようにした場合について述べたが、本発明はこれに限らず、購入の際に自宅等に持ち帰ってその自宅等に設けられた再生装置を介して楽曲データを所定のタイミング時にインストール又は再インストールするようにしても良い。
【００７１】
この場合の実施の形態として、例えば、図１との対応部分に同一符号を付した図７に示すものをあげることができる。この図７において、インストールシステム１００は、自宅等に設けられた複数の再生装置１０２ｉと、当該再生装置１０２ｉでの再生回数をユーザ単位で管理すると共に複数の楽曲データを楽曲データベースとして管理するプリインストール装置１０３とをネットワーク５を介して構成される。
【００７２】
この再生装置１０２ｉでは、コントローラ１０に対して、操作部１１、再生部１２、信号処理部１３、記憶部１４及びインターフェース部１５に加えて、例えば生体の指内方に介在する血管を撮像し、当該撮像結果として得られる血管画像信号に表される血管のパターンを抽出する血管取得部を接続することにより構成する。なお血管取得部の取得部位は例えば目、足の指又は腕等であっても良い。また取得対象としては、例えば指紋、声紋又は口紋等のパターンであっても良く、この場合、当該取得対象に応じた取得手法を適宜選定することができる。
【００７３】
そして再生装置１０２ｉは、上述のステップＳＰ１〜ステップＳＰ８までの各種処理と同様の処理を実行し、当該ステップＳＰ８において光ディスクが取り出されたことを検出した場合には、続くステップＳＰ９〜ステップＳＰ１２の各種処理に代えて、血管取得部で取得された血管のパターンを生体識別情報として生成し、これを再生履歴ログファイルＬｇＦとともにプリインストール装置１０３に送信する。
【００７４】
一方、プリインストール装置１０３では、コントローラ２０に対して、記憶部２１、インターフェース部２２及び購入対象製品接続部２３に加えて、再生装置１０２ｉと同様の血管取得部を接続することにより構成する。そしてプリインストール装置１０３は、各再生装置１０２ｉから供給される生体識別情報及び再生履歴ログファイルＬｇＦに基づいて、リストファイル更新処理手順ＲＴ２と同様の処理を実行してストファイルが更新する。
【００７５】
但し、このプリインストール装置１０３では、リストファイルＬｓｔに代えて、生体識別情報における血管のパターンと、再生履歴ログファイルＬｇＦにおける楽曲タイトル名と、再生回数との対応付けを一覧として表すリストファイルが更新されるようにする。また更新手法としては、再生装置１０２ｉから供給される生体識別情報における血管のパターンに対応する血管のパターンを、リストファイルにおける血管のパターンとのマッチングにより特定し、当該特定された血管のパターンに対応付けられた楽曲タイトル名のうち、再生履歴ログファイルＬｇＦにおける楽曲タイトル名と同一の再生回数がインクリメントされるようにする。
【００７６】
一方、再生装置１０２ｉは、インストール時又は再インストール時において、このときユーザから取得した血管のパターンを表す生体識別情報と、インストール要求とをプリインストール装置１０３に送信する。この場合、プリインストール装置１０３は、当該生体情報における血管のパターンに対応する血管のパターンをリストファイルから特定すると共に、再生装置１０２ｉにおいて記憶可能な楽曲データの記憶容量や楽曲データの圧縮形式等、再生装置１０２ｉにおける所定の再生条件を検出する。
【００７７】
そしてプリインストール装置１０３は、検出した再生条件を満たすことを前提として、特定した血管のパターンに対応付けて書き込まれた楽曲タイトル文字に対応する楽曲データを再生回数が多い順に選択し、当該選択した１又は２以上の楽曲データをダウンロードする。
【００７８】
このようにすれば、購入の際に自宅等に持ち帰ってその自宅等に設けられた再生装置１０２ｉを介して楽曲データを所定のタイミング時にインストール又は再インストールすることができる。
【００７９】
また上述の実施の形態においては、再生対象を再生する再生手段として光ディスクに記憶された楽曲データを再生する再生部１２（図２）を適用するようにした場合について述べたが、本発明はこれに限らず、例えば映像データ又はゲームプログラム等、この他種々の再生対象を再生する再生部を適用することができる。この場合、２以上の再生対象を再生する再生部を再生装置に設けるようにしても良い。
【００８０】
また再生対象データを光ディスクから再生するようにしたが、本発明はこれに限らず、例えばメモリスティック（ソニー株式会社  登録商標）から再生したり、あるいはインターフェース部１５（図２）を介してパーソナルコンピュータ等の外部機器から再生する等、この他種々の再生源から再生することができる。
【００８１】
また上述の実施の形態においては、再生された再生対象を表す識別子を生成する生成手段として、楽曲データの楽曲タイトル文字を適用するようにした場合について述べたが、本発明はこれに限らず、例えば楽曲データの一部分や、楽曲データごとに予め付したコードなどを適用するようにしても良い。なお、楽曲データ以外の再生対象についても同様に適用することができる。
【００８２】
また楽曲データの楽曲タイトル文字に代えて、例えば、再生された楽曲データの再生時間や再生用途（楽曲データに基づく楽曲をスピーカ等から出力するための再生、あるいは楽曲データを他の装置に転送するための再生など）などを識別子として生成するようにしても良く、若しくは、タイトル文字、再生時間及び再生用途の組み合わせを識別子として生成するようにしても良い。
【００８３】
この場合、再生対象の識別子に基づいて、再生対象の再生回数をカウントするカウント手段として、楽曲タイトル名と再生回数との対応付けを一覧として表すリストファイルＬｓｔにおける再生回数をインクリメントするコントローラ２０を適用するようにした場合について述べたが、本発明はこれに限らず、上述の識別子に応じて点数化するようにしても良い。
【００８４】
具体的には、例えばタイトル文字、再生時間及び再生用途の組み合わせを識別子として生成する場合、タイトル文字に対応する楽曲の総再生時間に対する、再生履歴ログファイルＬｇＦに示された再生時間の割合に応じて点数化し、また再生履歴ログファイルＬｇＦに示された再生用途が出力するための再生であれば「３」、他の装置に転送するための再生であれば「１」などといったように点数化し、これら点数化された点数の合計点に応じて再生回数をカウントする。このようにすれば、より詳細に楽曲の再生状況を把握することができる。
【００８５】
さらに上述の実施の形態においては、ネットワークを介して各再生装置から供給される再生対象の識別子を取得する取得手段として、光ディスクが取り出されたことを検出したとき等の所定のタイミングで再生装置から自動的に送信される再生履歴ログファイルＬｇＦの識別子（楽曲のタイトル文字）を取得するようにした場合について述べたが、本発明はこれに限らず、例えば配信命令を送信することにより再生装置に対して受動的に送信させるようにしても良い。
【００８６】
さらに上述の実施の形態においては、所定の記憶手段に記憶された複数の再生対象データのなかから再生回数の多い再生対象に対応する所定数の再生対象データを順次選択する選択手段として、リストファイルＬｓｔに書き込まれた楽曲タイトル文字に対応し、かつ音声再生製品ＭＸにおける圧縮形式と同一の圧縮形式の楽曲データを、当該音声再生製品ＭＸにおける記憶容量を充足するまで順次選択するようにした場合について述べたが、本発明はこれに限らず、これ以外の選択手法により順次選択するようにしても良い。
【００８７】
例えば、リストファイルＬｓｔに書き込まれた楽曲タイトル文字に対応する楽曲データを、音声再生製品ＭＸにおける圧縮形式と異なっている場合にはその楽曲データの圧縮形式を変換しながら、当該音声再生製品ＭＸにおける記憶容量を充足するまで順次選択するようにしても良い。
【００８８】
さらに上述の実施の形態においては、複数のインストール装置３ｊを設けるようにした場合について述べたが、本発明はこれに限らず、システム利用形態によっては、単一のインストール装置を設けるだけでも良い。なおこの場合、インストールシステム１では、管理サーバ４におけるインストール装置３ｊのネットワークアドレスの管理が省略される。
【００８９】
さらに上述の実施の形態においては、管理サーバ４で複数の楽曲データを管理するようにした場合について述べたが、本発明はこれに限らず、各インストール装置３ｊで管理するようにしても良い。
【産業上の利用可能性】
【００９０】
本発明は、楽曲や動画等をコンテンツとするコンテンツデータをインストールする技術分野で利用可能である。
【図面の簡単な説明】
【００９１】
【図１】本実施の形態によるインストールシステムの全体構成を示す略線図である。
【図２】楽曲再生装置の構成を示すブロック図である。
【図３】再生処理手順を示すフローチャートである。
【図４】インストール装置の構成を示す略線図である。
【図５】リストファイル更新処理手順を示すフローチャートである。
【図６】プリインストール処理手順を示すフローチャートである。
【図７】他の形態によるインストールシステムの全体構成を示す略線図である。
【符号の説明】
【００９２】
１、１００……インストールシステム、２ｉ、１０２ｉ……楽曲再生装置、３ｊ、１０３……インストール装置、４……管理サーバ、５……ネットワーク、１０、２０……コントローラ、１１……操作部、１２……再生部、１３……信号処理部、１４、２１……記憶部、１５、２２……インターフェース部、ＡＲ１……ネットワークアドレス記憶領域、ＡＲ２……再生履歴ログファイル記憶領域、ＬｇＦ……再生履歴ログファイル、Ｌｓｔ……リストファイル、ＲＴ１……再生処理手順、ＲＴ２……リストファイル更新処理手順、ＲＴ３……プリインストール処理手順。
【図１】
2006338547.tif 000003
【図２】
2006338547.tif 000004
【図３】
2006338547.tif 000005
【図４】
2006338547.tif 000006
【図５】
2006338547.tif 000007
【図６】
2006338547.tif 000008
【図７】
2006338547.tif 000009